【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
流体ポートによって互いに流体的に接続された第１及び第２の燃焼室を有する二燃焼室装置とともに使用するための弁組立体であって、
弁機構と、
燃焼サイクルの燃焼過程に続いて、前記第１及び第２の燃焼室内へ新鮮空気を供給して前記第１及び第２の燃焼室から燃焼生成物を大気に出すように、前記弁機構の中に設けられる新鮮空気取り入れポートと、
前記第１及び第２の燃焼室内の燃焼生成物が前記燃焼サイクルの前記燃焼過程に続いて前記第１及び第２の燃焼室から排出されるように、前記弁機構の中に設けられる排気ポートと、
前記燃焼サイクルの通気過程、混合過程及び燃焼過程をそれぞれ実行するための前記弁機構の異なる３つの位置である第１位置、第２位置及び第３位置の各々において、前記第１及び第２の燃焼室を互いに流体的に接続するために前記弁機構と有効に関連付けられる少なくとも１つの流体通路であって、前記燃焼サイクルの前記通気過程を実行するために前記異なる３つの位置の前記第１位置に前記弁機構が位置付けられたときに、新鮮空気が前記第１及び第２の燃焼室内に入ることができるように前記新鮮空気取り入れポート及び前記排気ポートが開放され、これにより前記第１及び第２の燃焼室の内部の燃焼生成物が前記第１及び第２の燃焼室から排出されることができ、前記燃焼サイクルの前記混合過程を実行するために前記異なる３つの位置の前記第２位置に前記弁機構が位置付けられたときに、前記第１及び第２の燃焼室内にある空燃混合物が前記第１及び第２の燃焼室内で再循環されるように前記新鮮空気取り入れポート及び前記排気ポートが閉じられ、前記燃焼サイクルの前記燃焼過程を実行するために前記異なる３つの位置の前記第３位置に前記弁機構が位置付けられたときに、前記新鮮空気取り入れポート及び前記排気ポートが閉じられ、且つその第１及び第２の燃焼室が前記少なくとも１つの流体通路によってのみ流体的に接続されて、前記第１の燃焼室で始まった燃焼が前記少なくとも１つの流体通路及び前記流体ポートを通して前記第２の燃焼室内へ進行することのみができる、流体通路と、
を有する弁組立体。
【請求項２】
前記弁機構が、前記燃焼サイクルの前記通気過程、前記混合過程及び前記燃焼過程をそれぞれ実行するための前記異なる３つの位置の前記第１位置、前記第２位置及び前記第３位置の各々の間で回転移動可能な回転弁機構を有する、請求項１に記載の弁組立体。
【請求項３】
前記弁機構は線形・回転弁機構を有し、前記線形・回転弁機構の構成要素は、前記燃焼サイクルの前記通気過程が実行できる第１位置から前記燃焼サイクルの前記混合状態が実行できる第２位置へ直線的に移動でき、さらに前記燃焼サイクルの前記混合過程が実行できる前記第２位置から前記燃焼サイクルの前記燃焼状態が実行できる第３位置へ回転して移動できる、請求項１に記載の弁組立体。
【請求項４】
前記回転弁機構は円筒形シャンク部材及び一対のプレナム室を有し、
前記排気ポートは前記円筒形シャンク部材の下部領域に設けられる貫通孔を有し、
前記一対のプレナム室は、前記燃焼サイクルの前記通気過程及び前記混合過程の間に前記第１及び第２の燃焼室を互いに流体的に接続するために、前記円筒形シャンク部材の両側に隣接して設けられる、請求項２に記載の弁組立体。
【請求項５】
前記線形・回転弁機構が、
内部に第１燃焼室を画定する半径方向外側の第１の環状燃焼室ハウジングと、
内部に第２燃焼室を画定する半径方向内側の第２の環状燃焼室ハウジングとを有し、
前記新鮮空気取り入れポートが前記半径方向内側の第２の環状燃焼室ハウジング内に設けられ、
前記排気ポートが前記半径方向外側の第１の環状燃焼室ハウジング内に設けられる、請求項３に記載の弁組立体。
【請求項６】
前記半径方向外側の第１の燃焼室ハウジングが半径方向内側の環状壁部材、半径方向外側の壁部材、上部壁部材及び下部壁部材を有し、
前記半径方向内側の第２の燃焼室ハウジングが半径方向内側の環状壁部材、半径方向外側の壁部材、及び上部壁部材を有し、
前記弁機構が、前記燃焼サイクルの前記通気過程が実行できる前記第１位置に位置付けられたときに、前記第１燃焼室ハウジングの前記上部壁部材が前記第２燃焼室ハウジングの前記上部壁部材から離れ、それにより前記第１燃焼室ハウジングの前記上部壁部材と前記第２燃焼室ハウジングの前記上部壁部材との間に、前記第２燃焼室ハウジングの前記新鮮空気取り入れポートを前記第２燃焼室に流体的に接続するための室が画定される、請求項５に記載の弁組立体。
【請求項７】
前記燃焼サイクルの前記混合過程が実行できる前記第２位置に前記弁機構が位置付けられたときに、前記室をなくし且つ前記新鮮空気取り入れポートを被うように前記第１燃焼室ハウジングの前記上部壁部材が前記第２燃焼室ハウジングの前記上部壁部材に接触して位置付けられ、これにより新鮮空気が前記室に流入できなくなり、前記第２燃焼室ハウジングの前記半径方向外側の壁部材が前記排気ポートを被い、これにより空気が排出できなくなる、請求項６に記載の弁組立体。
【請求項８】
前記半径方向外側の第１燃焼室ハウジングの前記半径方向内側の環状壁部材により画定される第１の開口手段と、
前記半径方向内側の第２燃焼室ハウジングの前記半径方向内側の環状壁部材により画定される第２の開口手段とをさらに有し、
前記弁機構が、前記燃焼サイクルの前記混合過程が実行できる前記第２位置に位置付けられたときに、空燃混合物が前記第１及び第２の燃焼室を通して流体的に再循環されるように前記第１及び第２の燃焼室ハウジングの前記第１及び第２の開口手段が互いに整合し、一方、前記弁機構が、前記燃焼サイクルの前記燃焼過程が実行できる前記第３位置に位置付けられたときに、前記第１及び第２の燃焼室の間の流体再循環を防止するとともに前記流体ポートのみを通る前記第１燃焼室から前記第２燃焼室への燃焼流れが生じるように、前記第１及び第２の燃焼室ハウジングの前記第１及び第２の開口手段が互いに整合しない、請求項６に記載の弁組立体。
【請求項９】
前記弁機構が、前記燃焼サイクルの前記通気過程、前記混合過程及び前記燃焼過程をそれぞれ実行するための前記異なる３つの位置の前記第１位置、前記第２位置及び前記第３位置の各々の間で直線的に移動可能な線形弁機構を有する、請求項１に記載の弁組立体。
【請求項１０】
前記線形弁機構は、
内部に第１燃焼室を画定する半径方向外側の第１の環状燃焼室ハウジングと、
内部に第２燃焼室を画定する半径方向内側の第２の環状燃焼室ハウジングとを有し、
前記新鮮空気取り入れポート及び前記排気ポートが前記第１及び第２の燃焼室の上下端部の間に設けられ、
前記少なくとも１つの流体通路は、前記燃焼サイクルの前記通気過程、前記混合過程及び前記燃焼過程をそれぞれ実行するための前記弁機構の異なる３つの位置の前記第１位置、前記第２位置及び前記第３位置の各々において前記第１及び第２の燃焼室を互いに流体的に接続するために前記弁機構に有効に関連付けられるとともに、複数の第１及び第２の流体通路を有し、該複数の第１及び第２の流体通路は、前記第１及び第２の燃焼室の側壁部内にそれぞれ設けられるとともに、前記燃焼サイクルの前記通気過程及び前記混合過程を実行するための前記第１位置及び前記第２位置の各々に前記弁機構が位置するときに、前記第１及び第２の燃焼室の間の流体接続を可能とするように互いに整合するようになっており、さらに、前記燃焼サイクルの前記燃焼過程を実行するための前記第３位置に前記弁機構が位置付けられたときに、前記流体ポート以外による前記第１及び第２の燃焼室間の流体接続を防止するように、互いに対して整合しないようになっている、請求項９に記載の弁組立体。
【請求項１１】
前記第１及び第２の燃焼室の前記複数の第１及び第２の流体通路が互いに整合しない前記第３位置に前記弁機構が位置付けられたときに、前記第１燃焼室の非開口側壁部が、前記第２燃焼室の前記側壁部内に設けられる前記複数の第２流体通路を被い、前記第２燃焼室の非開口側壁部が、前記第１燃焼室の前記側壁部内に設けられる前記複数の第１流体通路を被う、請求項１０に記載の弁組立体。